(57)【要約】  本開示の実施形態は、スロットフォーマット構成に用いられる方法、デバイス及びコンピュータ可読媒体に関する。本開示の一つの実施形態において、スロットフォーマット構成に用いられる方法は、ネットワークデバイスにおいて実行される。該方法では、期間についてのアクセスリンク及びバックホールリンク用の構成を示すリンク構成情報を送信し、該期間についてのアクセスリンク及びバックホールリンク用の構成で使用される、アクセスリンク及びバックホールリンクのうち少なくとも１つのための１つ又は複数のスロットフォーマットを示すスロットフォーマット構成情報を送信する。【選択図】図４
2022501904.tif 000002
【特許請求の範囲】
【請求項１】
ネットワークデバイスにおいて、期間についてのアクセスリンク及びバックホールリンク用の構成を示すリンク構成情報を送信することと、
前記ネットワークデバイスにおいて、前記期間についてのアクセスリンク及びバックホールリンク用の前記構成で使用される、前記アクセスリンク及びバックホールリンクのうち少なくとも１つのための１つ又は複数のスロットフォーマットを示すスロットフォーマット構成情報を送信することと
を備える、スロットフォーマット構成に用いられる方法。
【請求項２】
前記リンク構成情報を送信することは、さらに、
前記期間についての前記アクセスリンク及びバックホールリンク用の使用可能構成セットを示すリンク構成セット指示を送信することと、
前記使用可能構成セットのうちの１つの使用可能構成をアクティブ化するために、リンク構成アクティブ化指示を送信することと
を備える、請求項１に記載の方法。
【請求項３】
前記リンク構成セット指示は、無線リソース制御シグナリングにより送信され、且つ／又は
前記リンク構成アクティブ化指示は、メディアアクセス制御−制御エレメント（ＭＡＣ−ＣＥ）において送信され、且つ／又は
前記スロットフォーマット構成情報は、下りリンク制御チャネルにおいて送信される、請求項２に記載の方法。
【請求項４】
前記スロットフォーマットは、
スロット内の開始シンボル、
スロット内の終了シンボル、及び
スロット内の前記開始シンボル及び前記終了シンボルの両方
のうちのいずれかにおけるガード期間を含む、請求項１〜３のいずれか１項に記載の方法。
【請求項５】
前記ガード期間は、固定の時間長を有する、請求項４に記載の方法。
【請求項６】
前記ガード期間用のシンボルの数は、サブキャリア間隔によって左右される、請求項４に記載の方法。
【請求項７】
前記ガード期間は、リンク送信のタイミング整合モードによって左右される時間長を有する、請求項４に記載の方法。
【請求項８】
前記開始シンボルにおけるガード期間及び前記終了シンボルにおけるガード期間は、異なる時間長を有する、請求項４〜７のいずれか１項に記載の方法。
【請求項９】
前記スロットフォーマット構成情報は１つ又は複数のスロットフォーマットを示し、前記１つ又は複数のスロットフォーマットは、前記期間についてのアクセスリンク及びバックホールリンク用の前記構成における、１つ又は複数のバックホールリンクのためのものである、請求項１〜８のいずれか１項に記載の方法。
【請求項１０】
第２ネットワークデバイスにおいて、期間についてのアクセスリンク及びバックホールリンク用の構成を示すリンク構成情報を受信することと、
前記第２ネットワークデバイスにおいて、前記期間についてのアクセスリンク及びバックホールリンク用の前記構成で使用される、前記アクセスリンク及びバックホールリンクのうち少なくとも１つのための１つ又は複数のスロットフォーマットを示すスロットフォーマット構成情報を受信することと
を備える、スロットフォーマット構成を受信するための方法。
【請求項１１】
前記リンク構成情報を受信することは、さらに、
前記期間についての前記アクセスリンク及びバックホールリンク用の使用可能構成セットを示すリンク構成セット指示を受信することと、
前記使用可能構成セットのうちの１つの使用可能構成をアクティブ化するリンク構成アクティブ化指示を受信することと
を備える、請求項１０に記載の方法。
【請求項１２】
前記リンク構成セット指示は、無線リソース制御シグナリングにおいて受信され、且つ／又は
前記リンク構成アクティブ化指示は、メディアアクセス制御−制御エレメント（ＭＡＣ−ＣＥ）において受信され、且つ／又は
前記スロットフォーマット構成情報は、下りリンク制御チャネルにおいて受信される、請求項１１に記載の方法。
【請求項１３】
前記スロットフォーマットは、
スロット内の開始シンボル、
スロット内の終了シンボル、及び、
スロット内の前記開始シンボルと前記終了シンボルの両方
のうちのいずれかにおけるガード期間を含む、請求項１０〜１２のいずれか１項に記載の方法。
【請求項１４】
前記ガード期間は、固定の時間長を有する、請求項１３に記載の方法。
【請求項１５】
前記ガード期間のシンボルの数は、サブキャリア間隔によって左右される、請求項１３に記載の方法。
【請求項１６】
前記ガード期間は、リンク送信のタイミング整合モードによって左右される時間長を有する、請求項１３に記載の方法。
【請求項１７】
前記開始シンボルにおけるガード期間及び前記終了シンボルにおけるガード期間は、異なる時間長を有する、請求項１３〜１６のいずれか１項に記載の方法。
【請求項１８】
前記スロットフォーマット構成情報は１つ又は複数のスロットフォーマットを示し、前記１つ又は複数のスロットフォーマットは、前記期間についてのアクセスリンク及びバックホールリンク用の前記構成における、１つ又は複数のバックホールリンクのためのものである、請求項１０〜１７のいずれか１項に記載の方法。
【請求項１９】
少なくも１つのプロセッサと、
前記少なくとも１つのプロセッサに結合される少なくとも１つのメモリと
を備え、
前記少なくとも１つのメモリは、コンピュータプログラムコードを有し、前記コンピュータプログラムコードは、前記少なくとも１つのプロセッサで実行された場合、ネットワークデバイスに、請求項１〜９のいずれか１項に記載の方法を少なくとも実行させるように構成される、ネットワークデバイス。
【請求項２０】
少なくも１つのプロセッサと、
前記少なくとも１つのプロセッサに結合される少なくとも１つのメモリと
を備え、
前記少なくとも１つのメモリは、コンピュータプログラムコードを有し、前記コンピュータプログラムコードは、前記少なくとも１つのプロセッサで実行された場合、ネットワークデバイスに、請求項１０〜１８のいずれか１項に記載の方法を少なくとも実行させるように構成される、ネットワークデバイス。
【請求項２１】
コンピュータプログラムが記憶されており、前記コンピュータプログラムは、デバイスの少なくとも１つのプロセッサにより実行された場合、前記デバイスに、請求項１〜９のいずれか１項に記載の方法を実行させる、コンピュータ可読媒体。
【請求項２２】
コンピュータプログラムが記憶されており、前記コンピュータプログラムは、デバイスの少なくとも１つのプロセッサにより実行された場合、前記デバイスに、請求項１０〜１８のいずれか１項に記載の方法を実行させる、コンピュータ可読媒体。
【発明の詳細な説明】
【技術分野】
【０００１】
本開示の非限定的且つ例示的な実施形態は、全体として無線通信技術分野に関し、より具体的には、無線通信システムにおけるスロットフォーマット構成に用いられる方法、デバイス及びコンピュータ可読媒体に関する。
【背景技術】
【０００２】
本部分では、本開示に対する理解を深めるための各側面について説明を行う。したがって、本部分の記述は、そのような角度から理解されるべきであり、従来技術に存在する内容、又は従来技術に存在しない内容に対する承認であると理解されるべきではない。
【０００３】
Ｎｅｗ  Ｒａｄｉｏアクセスシステム（ＮＲシステム又はＮＲネットワークとも称する）は、次世代の通信システムである。第３世代パートナーシッププロジェクト（３ＧＰＰ）ワーキンググループのＲａｄｉｏアクセスネットワーク（ＲＡＮ）＃７１会議では、ＮＲシステムの研究が承認された。ＮＲシステムは、１００Ｇｈｚまでの周波数範囲を考慮するもので、その目標は、単一の技術的枠組みを用いて、技術レポートＴＲ３８．９１３で定義された全ての使用シナリオ、要求及び配備シナリオを解決することであり、それには、高度型モバイルブロードバンド、大規模マシンタイプ通信及び高信頼・低遅延通信等の要求が含まれる。
【０００４】
これ以外にも、ＮＲシステムは、送信ネットワークを比例的に高密度化することを必要とせず、ＮＲセルを柔軟かつ非常に高密度な配備を可能にする無線バックホールおよび中継リンクをサポートすることが期待されている。ＮＲシステムに利用可能な比較的広い帯域幅に加えて、ＮＲシステムにおける大規模多入力多出力（ＭＩＭＯ）又はマルチビームシステムのネイティブ配備は、統合されたアクセスリンク及びバックホールリンクを開発するための機会を作る。このようなＩＡＢリンクを有する例示的ネットワークを図１Ａ及び図１Ｂに示す。図１Ａに示されるように、ＩＡＢノードと称される中継デバイス１２０が、ユーザ機器（ＵＥ）１３０−２と基地局１１０（ＩＡＢドナーと称される）との間に配置される。ＵＥ１３０−２とＩＡＢノード１２０との間のリンクはアクセスリンクと称され、下りリンク（ＤＬ）アクセスリンク及び上りリンク（ＵＬ）アクセスリンクを含み、ＩＡＢノード１２０とＩＡＢドナー１１０との間のリンクはバックホールリンクと称され、ＤＬバックホールリンク及びＵＬバックホールリンクを含む。図１Ｂに示す例示的ネットワークでは、ＩＡＢノード２２０は、親ノード２１０（例えば、ＩＡＢドナー）と子ノード２４０（例えば、もう１つのＩＡＢノード）との間に位置する。ＩＡＢノード２２０とＩＡＢドナー２１０との間のリンクは、親バックホールリンクと称され、ＤＬ親バックホールリンク及びＵＬ親バックホールリンクを含み、ＩＡＢノード２２０と子ノード２４０との間のリンクは子バックホールリンクと称され、ＵＬ子バックホールリンク及びＤＬ子バックホールリンクを含む。このようなネットワークでは、中継ノードは時間、周波数又は空間上でアクセスリンク及びバックホールリンクを多重化することができる（例えば、ビームに基づく動作）。
【０００５】
３ＧＰＰ  ＲＡＮ１＃９４会議では、少なくともケース１についてＩＡＢタイミングが合意されており、この場合、ＤＬ送信タイミングは、ＩＡＢノードとＩＡＢドナーノードに亘って整合される。また、この会議では、異なるリンクのために動的かつ柔軟に使用できる構成内のリソースの指示について、さらに検討することが合意された。その内容には以下のものが含まれる。
・スケジューリング遅延、ＩＡＢノード処理遅延、又は柔軟性のあるリソースの使用に必要な情報を考慮する。
・柔軟なリソースをスケジューリングするためのメカニズム（例えば、ＧＣ−ＰＤＣＣＨ）
【発明の概要】
【発明が解決しようとする課題】
【０００６】
概して言えば、本開示の例示的実施形態では、無線通信システムで用いられるスロットフォーマット構成の新しい解決手段を提供する。
【課題を解決するための手段】
【０００７】
本開示の第１の態様では、無線通信システムにおけるスロットフォーマット構成に用いられる方法が提供される。該方法は、ＩＡＢドナー又は親ノード等の第１ネットワークデバイスで実現することができる。該方法は、期間についてのアクセスリンク及びバックホールリンク用の構成を示すリンク構成情報を送信することと、前記期間についてのアクセスリンク及びバックホールリンク用の前記構成で使用される、前記アクセスリンク及びバックホールリンクのうち少なくとも１つのための１つ又は複数のスロットフォーマットを示すスロットフォーマット構成情報を送信することとを備える。
【０００８】
本開示の第２の態様では、無線通信システムにおけるスロットフォーマット構成を受信するための方法が提供される。該方法は、ＩＡＢノード等の第２ネットワークデバイスで実現することができる。該方法は、期間についてのアクセスリンク及びバックホールリンク用の構成を示すリンク構成情報を受信することと、前記期間についてのアクセスリンク及びバックホールリンク用の前記構成で使用される、前記アクセスリンク及びバックホールリンクのうち少なくとも１つのための１つ又は複数のスロットフォーマットを示すスロットフォーマット構成情報を受信することとを備える。
【０００９】
本開示の第３の態様では、第１ネットワークデバイスが提供される。該第１ネットワークデバイスはＩＡＢドナー又は親ノードであり得る。第１ネットワークデバイスは、少なくとも１つのプロセッサと、前記少なくとも１つのプロセッサに結合される少なくとも１つのメモリとを含むことができる。前記少なくとも１つのメモリは、コンピュータプログラムコードを記憶し、該コンピュータプログラムコードは、前記少なくとも１つのプロセッサで実行された場合、前記第１ネットワークデバイスに、第１の態様の動作を実行させるように構成されている。
【００１０】
本開示の第４の態様では、第２ネットワークデバイスが提供される。該第２ネットワークデバイスは例えばＩＡＢノードであり得る。第２ネットワークデバイスは、少なくとも１つのプロセッサと、前記少なくとも１つのプロセッサに結合される少なくとも１つのメモリとを含むことができる。前記少なくとも１つのメモリは、コンピュータプログラムコードを記憶し、該コンピュータプログラムコードは、少なくとも１つのプロセッサで実行された場合、前記第２ネットワークデバイスに、第２の態様の動作を実行させるように構成されている。
【００１１】
本開示の第５の態様では、コンピュータ可読記憶媒体が提供される。該コンピュータ可読記憶媒体にはコンピュータプログラムが記憶されており、該コンピュータプログラムは、デバイスの少なくとも１つのプロセッサにより実行された場合、該デバイスに、第１の態様のいずれかの実施形態の方法における動作を実行させる。
【００１２】
本開示の第６の態様では、コンピュータ可読記憶媒体が提供される。該コンピュータ可読記憶媒体にはコンピュータプログラムが記憶されており、該コンピュータプログラムは、デバイスの少なくとも１つのプロセッサにより実行された場合、該デバイスに、第２の態様のいずれかの実施形態の方法における動作を実行させる。
【００１３】
本開示の第７の態様では、コンピュータプログラム製品が提供される。該コンピュータプログラム製品は、第５の態様のコンピュータ可読記憶媒体を含む。
【００１４】
本開示の第８の態様では、コンピュータプログラム製品が提供される。該コンピュータプログラム製品は、第６の態様のコンピュータ可読記憶媒体を含む。
【図面の簡単な説明】
【００１５】
以下、添付の図面を参照して詳細に説明することで、本開示の各実施形態の上述の及びその他の態様、特徴及び利点を、より完全に明らかにする。添付の図面において、同一の図面符号は、同一又は類似の要素を示す。図は、本開示の実施形態に対するより適切な理解を深めるために示すものであり、必ずしも縮尺通りに描かれているわけではない。
【００１６】
【図１Ａ】ＩＡＢリンクを有する例示的ネットワークを示す図である。
【図１Ｂ】ＩＡＢリンクを有する例示的ネットワークを示す図である。
【００１７】
【図２】ＮＲシステムにおける通常のサイクリックプレフィックスについてのスロットフォーマットを示す図である。
【００１８】
【図３Ａ】従来技術におけるバックホールリンクとアクセスリンクとの間のスロットレベルのリソース割当を模式的に示す図である。
【図３Ｂ】従来技術におけるバックホールリンクとアクセスリンクとの間のスロットレベルのリソース割当を模式的に示す図である。
【００１９】
【図４】本開示のいくつかの実施形態にかかる、無線通信システムの第１ネットワークデバイスにおける（例えば、ＩＡＢドナー又は親ノードにおける）スロットフォーマット構成に用いられる方法のフローチャートを模式的に示す図である。
【００２０】
【図５】本開示のいくつかの実施形態にかかるビットマップ形式のリンク構成セットを模式的に示す図である。
【００２１】
【図６】本開示のいくつかの実施形態にかかる、アクティブ化されたリンク構成を模式的に示す図である。
【００２２】
【図７】本開示のいくつかの実施形態にかかる、アクティブ化されたリンク構成の例示的スロットフォーマット構成を模式的に示す図である。
【００２３】
【図８】本開示のいくつかの実施形態にかかる、アクセスリンクとバックホールリンクとの切り替えに用いられる例示的スロットフォーマット構成を模式的に示す図である。
【００２４】
【図９】本開示のいくつかの実施形態にかかる、アクセスリンクとバックホールリンクとの切り替えに用いられる別の例示的スロットフォーマット構成を模式的に示す図である。
【００２５】
【図１０】本開示のいくつかの実施形態にかかる、アクセスリンクとバックホールリンクとの切り替えに用いられるスロットフォーマット構成の例示的形式を模式的に示す図である。
【００２６】
【図１１】本開示のいくつかの実施形態にかかる、アクセスリンクとバックホールリンクとの切り替えに用いられる別の例示的スロットフォーマット構成を模式的に示す図である。
【００２７】
【図１２】本開示のいくつかの実施形態にかかる、スロットの開始シンボル及び終了シンボルにおいて２つの０．５Ｆのガード期間を有するスロットフォーマット構成の例示を模式的に示す図である。
【００２８】
【図１３】本開示のいくつかの実施形態にかかる、アクセスリンクとバックホールリンクとの切り替えに用いられるスロットフォーマット構成の別の例示的形式を模式的に示す図である。
【００２９】
【図１４】本開示のいくつかの実施形態にかかる、アクセスリンクスロット又はバックホールリンクスロットのうちのいずれかにおいてガード期間を構成可能ないくつかの送信状況を模式的に示す図である。
【００３０】
【図１５】本開示のいくつかの実施形態にかかる、図１４に示す送信状況の例示的なガード期間設定を模式的に示す図である。
【００３１】
【図１６】本開示のいくつかの実施形態にかかる、図１４に示す送信状況の例示的なスロットフォーマット構成を模式的に示す図である。
【００３２】
【図１７Ａ】本開示のいくつかの実施形態にかかる、周波数分割複信（ＦＤＤ）システムでの例示的な切り替え状況を模式的に示す図である。
【００３３】
【図１７Ｂ】本開示のいくつかの実施形態にかかる、ＦＤＤシステムにおける例示的な切り替え状況及びガード期間設定を模式的に示す図である。
【００３４】
【図１７Ｃ】本開示のいくつかの実施形態にかかる、ＦＤＤシステムにおいてアクセスリンクとバックホールリンクを切り替えるための例示的スロットフォーマット構成を模式的に示す図である。
【００３５】
【図１８Ａ】本開示のいくつかの実施形態にかかる時分割複信（ＴＤＤ）システムにおける切り替え状況を模式的に示す図である。
【図１８Ｂ】本開示のいくつかの実施形態にかかる時分割複信（ＴＤＤ）システムにおける切り替え状況を模式的に示す図である。
【００３６】
【図１９Ａ】本開示のいくつかの実施形態にかかる、図１８Ａ及び図１８Ｂに示す状況と対応する送信シナリオを模式的に示す図である。ここで、ＤＬ送信はＩＡＢノード及びＩＡＢドナーノードに亘って整合される。
【図１９Ｂ】本開示のいくつかの実施形態にかかる、図１８Ａ及び図１８Ｂに示す状況と対応する送信シナリオを模式的に示す図である。ここで、ＤＬ送信はＩＡＢノード及びＩＡＢドナーノードに亘って整合される。
【００３７】
【図２０Ａ】本開示のいくつかの実施形態にかかる、図１８Ａ及び図１８Ｂに示す状況と対応する送信シナリオを模式的に示す図である。ここで、ＤＬ送信及びＵＬ送信は、ＩＡＢノードで整合される。
【図２０Ｂ】本開示のいくつかの実施形態にかかる、図１８Ａ及び図１８Ｂに示す状況と対応する送信シナリオを模式的に示す図である。ここで、ＤＬ送信及びＵＬ送信は、ＩＡＢノードで整合される。
【００３８】
【図２１Ａ】本開示のいくつかの実施形態にかかる、図１８Ａ及び図１８Ｂに示す状況と対応する送信シナリオを模式的に示す図である。ここで、ＤＬ受信及びＵＬ受信は、ＩＡＢノードで整合される。
【図２１Ｂ】本開示のいくつかの実施形態にかかる、図１８Ａ及び図１８Ｂに示す状況と対応する送信シナリオを模式的に示す図である。ここで、ＤＬ受信及びＵＬ受信は、ＩＡＢノードで整合される。
【００３９】
【図２２Ａ】本開示のいくつかの実施形態にかかる、図１８Ａ及び図１８Ｂに示す状況と対応する送信シナリオを模式的に示す図である。ここで、ＤＬ送信及びＵＬ送信は、送信期間にＩＡＢノードで整合され、ＤＬ受信及びＵＬ受信は、受信期間にＩＡＢノードで整合される。
【図２２Ｂ】本開示のいくつかの実施形態にかかる、図１８Ａ及び図１８Ｂに示す状況と対応する送信シナリオを模式的に示す図である。ここで、ＤＬ送信及びＵＬ送信は、送信期間にＩＡＢノードで整合され、ＤＬ受信及びＵＬ受信は、受信期間にＩＡＢノードで整合される。
【００４０】
【図２３Ａ】本開示のいくつかの実施形態にかかる、図１８Ａ及び図１８Ｂに示す状況と対応する送信シナリオを模式的に示す図である。ここで、ＤＬ送信及びＵＬ送信は、ＩＡＢノードで整合され、また、ＵＬ及びＤＬ送信はＩＡＢノードで整合される。
【図２３Ｂ】本開示のいくつかの実施形態にかかる、図１８Ａ及び図１８Ｂに示す状況と対応する送信シナリオを模式的に示す図である。ここで、ＤＬ送信及びＵＬ送信は、ＩＡＢノードで整合され、また、ＵＬ及びＤＬ送信はＩＡＢノードで整合される。
【００４１】
【図２４Ａ】本開示のいくつかの実施形態にかかる、図１８Ａ及び図１８Ｂに示す状況と対応する送信シナリオを模式的に示す図である。ここで、ＤＬ送信はＩＡＢノード及びＩＡＢドナーノードに亘って整合され、ＤＬ受信及びＵＬ受信はＩＡＢノードで整合される。
【図２４Ｂ】本開示のいくつかの実施形態にかかる、図１８Ａ及び図１８Ｂに示す状況と対応する送信シナリオを模式的に示す図である。ここで、ＤＬ送信はＩＡＢノード及びＩＡＢドナーノードに亘って整合され、ＤＬ受信及びＵＬ受信はＩＡＢノードで整合される。
【００４２】
【図２５】本開示のいくつかの実施形態にかかる、第２ネットワークノード（例えば、ＩＡＢノード）でのスロットフォーマット指示を受信するための方法のフローチャートを模式的に示す図である。
【００４３】
【図２６】本開示のいくつかの実施形態にかかる、無線通信システムにおいて上りリンクリソースマッピングを行うための装置のブロック図を模式的に示す図である。
【００４４】
【図２７】本開示のいくつかの実施形態にかかるスロットフォーマット構成を受信するための装置２７００のブロック図を模式的に示す図である。
【００４５】
【図２８】装置２８１０及び装置２８２０の簡略化ブロック図を模式的に示す図である。装置２８１０は例えばＩＡＢドナー又は親ノード等の第１ネットワークデバイスとして具現化されてもよいし、又はそれに含まれていてもよい。装置２８１０は、例えばＩＡＢノード等の中継の第２ネットワークデバイスとして具現化されてもよいし、又はそれに含まれていてもよい。
【発明を実施するための形態】
【００４６】
以下、添付の図面を参照しつつ実施形態を通して、本開示で提供する解決手段を詳細に説明する。理解すべき点として、これらの実施形態は、当業者が本開示をより適切に理解し実現することができるようにするために示されるものであり、本開示の範囲に対する何らかの限定を意図するものではない。例えば、１つの実施形態の一部として示され又は説明された特徴を、別の実施形態と共に用いて、さらに別の実施形態を作り出すことができる。明確にするために、実際に実現される全ての特徴が本明細書に記載されているわけではない。
【００４７】
添付の図面において、本開示の各実施形態はブロック図、フローチャート及びその他の図によって示されている。フローチャート又はブロック図における各ブロックは、指定された論理機能を実行するための１つ又は複数の実行可能な命令を含むモジュール、プログラム又はコード部分を表すことができ、本開示において、不要なブロックは点線で示される。また、これらのブロックは、該方法を実行するためのステップを特定の順序で示しているが、実際は、必ずしも示された順序に厳格に従い実行する必要はない。例えば、反対の順序で又は同時に実行することができる。これは対応する動作の性質によって左右される（対応する動作の性質に依存する）。さらに注意すべき点として、ブロック図及び／又はフローチャート内の各ブロック及びその組合せは、指定された機能／動作を実行するための、ハードウェアに基づく専用システムにより実現することができ、又は専用ハードウェアとコンピュータの命令との組合せにより実現することができる。
【００４８】
明細書における「１つの実施形態」、「実施形態」、「例示的実施形態」等の引用は、説明される実施形態が特定の特徴、構造又は特性を含むことができることを示すが、各実施形態がいずれも、特定の特徴、構造又は特性を含む必要はない。このようなフレーズは、必ずしも同じ実施形態を指すものではない。また、実施形態と結び付けて特定の特徴、構造又は特性を説明する際、他の実施形態（明記されているかどうかに関わらず）と結び付けると、このような特徴、構造又は特性に影響を与えることは、当業者の知識の範囲内であるとみなすことができる。
【００４９】
理解すべき点として、文中では、用語「第１」及び「第２」等で各種要素が説明され得るが、こうした要素は、これらの用語によって限定されるべきではない。これらの用語はあくまでも、１つの要素を別の要素と分けるためである。例えば、例示的実施形態の範囲から逸脱しない場合、第１要素は第２要素と称することができ、同様に、第２要素も第１要素と称することができる。文中で使用される用語「及び／又は」は、１つ又は複数の列挙された用語のうちのいずれか、及び全ての組合せを含む。
【００５０】
文中で使用される用語は、あくまで特定の実施形態を説明するためのものであり、例示的な実施形態を限定する意図はない。文中で使用される場合、文脈上で他に明記していない限り、単数形式である「１つの（ａ）」、「１つの（ａｎ）」及び「該（ｔｈｅ）」は、複数形式を含むことを意味する。さらに理解されるべき点として、文中で使用される場合、用語「備える」、「備えている」、「有する」、「有している」、「含む」及び／又は「含んでいる」は、記述された特徴、要素及び／又はコンポーネント等の存在を規定するが、他の特徴、要素、コンポーネント及び／又はそれらの組合せの、１つ又は複数の存在又は追加を排除するものではない。
【００５１】
文中で使用される用語の「無線通信ネットワーク」とは、任意の適切な無線通信規格に準じたネットワーク、例えばＮｅｗ  Ｒａｄｉｏ（ＮＲ）、ロングタームエボリューション（ＬＴＥ）、ＬＴＥ−アドバンスト（ＬＴＥ−Ａ）、広帯域符号分割多元接続（ＷＣＤＭＡ）、高速パケットアクセス（ＨＳＰＡ）等を指す。「無線通信ネットワーク」は「無線通信システム」と称することもできる。また、無線通信ネットワークにおけるネットワークデバイス間、ネットワークデバイスと端末デバイスとの間、又は端末デバイス間の通信は、任意の適切な通信プロトコルに基づき実行することができる。任意の適切な通信プロトコルには、移動通信用グローバルシステム（ＧＳＭ）、ユニバーサル移動体通信システム（ＵＭＴＳ）、ロングタームエボリューション（ＬＴＥ）、Ｎｅｗ  Ｒａｄｉｏ（ＮＲ）、無線ＬＡＮ（ＷＬＡＮ）の規格（例えばＩＥＥＥ  ８０２．１１規格）及び／又は現在既知の又は将来開発される他の任意の適切な無線通信規格が含まれるが、これらに限定されない。
【００５２】
文中で使用される用語「ネットワークデバイス」は、無線通信ネットワークにおけるノードを指す。端末デバイスは該ノードを介してネットワークにアクセスし、そこからサービスを受ける。ネットワークデバイスは、基地局（ＢＳ）またはアクセスポイント（ＡＰ）を指すことができ、例えば、ノードＢ（ＮｏｄｅＢ又はＮＢ）、進化型ＮｏｄｅＢ（ｅＮｏｄｅＢ又はｅＮＢ）、ＮＲ  ＮＢ（ｇＮＢとも称される）、リモートラジオユニット（ＲＲＵ）、ラジオヘッド（ＲＨ）、リモートラジオヘッド（ＲＲＨ）、中継、低電力ノード（例えばフェムト、ピコ等）であり、具体的には、適用される用語及び技術によって左右される。
【００５３】
用語「端末デバイス」は、無線通信を行うことができる全ての端末デバイスを指すことができる。限定するものではなく例示として、端末デバイスは、通信デバイス、ユーザ機器（ＵＥ）、加入者局装置（ＳＳ）、携帯型加入者局装置、移動局（ＭＳ）、又はアクセス端末（ＡＴ）とも称することができる。端末デバイスは、移動電話、携帯電話、スマートフォン、ＩＰ（ＶｏＩＰ）電話、ワイヤレスローカルループ（Ｗｉｒｅｌｅｓｓ  ｌｏｃａｌ  ｌｏｏｐ）電話、タブレット、ウェアラブル端末デバイス、携帯情報端末（ＰＤＡ）、携帯コンピュータ、デスクトップコンピュータ、画像取込端末デバイス（例えばデジタルカメラ、ゲーム端末デバイス、音楽保存再生装置）、車載無線端末デバイス、無線エンドポイント、モバイルステーション、ラップトップ組込型機器（ＬＥＥ：laptop embedded equipment）、ラップトップ搭載型機器（ＬＭＥ：laptop-mounted equipment）、ＵＳＢドングル、スマートデバイス、無線カスタマ構内設備（ＣＰＥ：Customer-provided equipment）等が含まれるが、これらに限定されない。また、用語「端末デバイス」、「通信デバイス」、「端末」、「ユーザ機器」及び「ＵＥ」は、以下の説明では互換的に使用することができる。
【００５４】
別の例示として、モノのインターネット（ＩｏＴ：Internet of Things）のシナリオでは、端末デバイスは、監視及び／又は測定を実行するとともに、このような監視及び／又は測定の結果を、別の端末デバイス及び／又はネットワーク機器に送信するマシン又は他のデバイスを示すことができる。この場合、端末デバイスはマシンツーマシン（Ｍ２Ｍ：Machine to Machine）のデバイスであってよく、３ＧＰＰの文脈ではマシンタイプコミュニケーション（ＭＴＣ：Machine Type Communication）デバイスと称することができる。１つの特定の例示として、端末デバイスは、３ＧＰＰ狭帯域モノのインターネット（ＮＢ−ＩｏＴ）規格を実装するＵＥであり得る。このようなマシン又はデバイスの例示として、センサ、電力計等の計測デバイス、産業機械、又は冷蔵庫、テレビ、腕時計等パーソナルウエアラブル端末等といった家庭用若しくは個人用の電化製品挙げられる。他の状況では、端末デバイスは車両を示すことができ、又は、その動作状態若しくはその動作と関連する他の機能を監視及び／又はレポートすることができる他の機器を示すことができる。
【００５５】
文中で使用されるように、下りリンク（ＤＬ）送信とは、ネットワークデバイスからＵＥまでの送信、又は、親ノードであるネットワークデバイスから子ノードである別のネットワークデバイスまでの送信を指し、上りリンク（ＵＬ）送信は反対方向の送信を指す。
【００５６】
上述のように、ＩＡＢ技術はすでにＮＲシステム内に導入されている。ＩＡＢ技術の導入に伴い、ＩＡＢノードでは、アクセスリンクとバックホールリンクとの切り替えが生じることになる。既存のＬＴＥシステムでは、サブフレーム構成が固定されているため、１つのシンボルをパンクチャリングしてガード期間として使用することができる。しかしながら、ＮＲシステムでは、スロットフォーマットが相当柔軟であり、柔軟なガード期間を構成することが、より期待されている。
【００５７】
説明のみを目的とし、図２は、ＮＲシステムにおける通常のサイクリックプレフィックスについての例示的スロットフォーマットを示す。図２に示すように、５６種類の異なるフォーマット（フォーマット０〜５５）があり、ＵＥは、ＴＤＤ−ＵＬ−ＤＬ−Ｃｏｎｆｉｇｕｒａｔｉｏｎ共通パラメータ又はＴＤＤ−ＵＬ−ＤＬ−ＣｏｎｆｉｇＤｅｄｉｃａｔｅｄパラメータに基づき、さらに、検出されたＤＣＩフォーマット（ある場合）に基づき、スロットのスロットフォーマットを決定することもできる。特に、上りリンクシンボル及び下りリンクシンボル（それぞれ「Ｕ」及び「Ｄ」と示される）を除き、フォーマット０〜５５の大多数は、１つ又は複数の柔軟なシンボル（図２では「Ｆ」と示される）を有する。したがって、スロットフォーマットの柔軟性により、ＮＲシステムにはＬＴＥシステムの切り替えスキームは適用できない。拡張サイクリックプレフィックスについても、通常のサイクリックプレフィックスについての状況と同様の柔軟なスロットフォーマットが存在する。
【００５８】
３ＧＰＰ技術文書Ｒ１−１８０８５８０（タイトル「Ｒｅｓｏｕｒｃｅ  ａｌｌｏｃａｔｉｏｎ  ｂｅｔｗｅｅｎ  ｂａｃｋｈａｕｌ  ａｎｄ  ａｃｃｅｓｓ  ｌｉｎｋｓ」）では、ＮＲ  ＩＡＢシステム用のタイムスロットレベルでのリソース割当が提案されている。説明を目的として、図３Ａ及び図３Ｂは、該文書で提案されたバックホール及びアクセスの固定的及び動的なリソース割当を示す。ここで、「１ａ」は、ＵＥとＢＳとの間のアクセスリンクを示し、「１ｂ」は、ＩＡＢドナーであるＢＳとＩＡＢノードとの間のバックホールリンクを示し、「２ａ」は、ＩＡＢノードとＵＥとの間のアクセスリンクを示す。
【００５９】
図３Ａに示す固定のバックホール及びアクセスのリソース割当において、リソース割当は固定であり、フレキシビリティが全くなく、スロットはＤＬスロット又はＵＬスロットである。そして、アクセスリンク２ａ及びバックホールリンク１ｂには交代でリソースが割り当てられ、２つのリンクの送信は同時に実行できない。また、図３Ｂに示すバックホール及びアクセスの動的なリソース割当では、いくつかの固定スロット以外に、「Ｆ」で示される柔軟なスロットがいくつか存在し、これらのスロットはＵＬスロット又はＤＬスロットであり得る。提案されたリソース割当の解決手段では、リソースがスロットレベルで割り当てられ、これは、スロットがＤＬ又はＵＬのスロットであることを示す。
【００６０】
しかしながら、ＮＲシステムでは、より柔軟なスロットフォーマットが使用され、スロットフォーマットの多くは、スロット内に下りリンクシンボル、上りリンクシンボル又は柔軟なシンボルのうちのいずれかを含む。また、提案されたバックホール及びアクセスの動的なリソース割当に柔軟スロットを導入すると、ＩＡＢノードが、隣り合うスロットに関する事前情報を何も有しない状況を招く。したがって、このような場合、切り替えが依然として１つの問題となる。
【００６１】
本開示の実施形態では、上述の問題のうちの少なくとも一つを軽減し、又は少なくとも緩和するために、無線通信におけるスロットフォーマット構成の新しい解決手段を提供する。本開示の実施形態では、第１ネットワークデバイスが、ある期間についてのアクセスリンク及びバックホールリンク用の構成を示すために、第２ネットワークデバイスにリンク構成情報を送信する。そして第１ネットワークデバイスはさらに、該期間についてのアクセスリンク及びバックホールリンク用の構成で使用される、アクセスリンク及びバックホールリンクのうちの少なくとも１つのための１つ又は複数のスロットフォーマットを示すために、第２ネットワークデバイスにスロットフォーマット構成情報を送信することができる。したがって、本開示の実施形態では、まず、アクセスリンク及びバックホールリンク用のリソースを示し、その後、スロットフォーマット構成を用いて、これらのリンク内のリンク構成（例えば、バックホールリンク用）を示す。この方法により、アクセスリンク及びバックホールリンクのためにスロットレベルのリンクリソース割当を実現するとともに、対応するリンク内で柔軟なスロットフォーマットをサポートすることができる。
【００６２】
理解すべき点として、本開示において、特に本明細書に開示された実施形態及び添付の請求項において、バックホールリンク及びアクセスリンクは、中継であるＩＡＢノードと関連付けられる。特に、バックホールリンクとは、ＩＡＢノードと、ＩＡＢドナー又はその親のＩＡＢノードとの間のリンクを指し、アクセスリンクとは、ＩＡＢノードと、その子のＩＡＢノード又はＵＥとの間のリンクを指す。特に、図１Ｂに示すネットワークトポロジーについて、ＵＬ及びＤＬの親バックホールリンクはバックホールリンクに属し、ＤＬ及びＵＬの子バックホールリンクはアクセスリンクに属する。
【００６３】
さらに理解すべき点として、本開示において、特に本明細書に開示された実施形態及び添付の請求項では、第１ネットワークデバイス及び第２ネットワークデバイスとは、ＩＡＢ技術と関連付けられるネットワークデバイスを指す。第１ネットワークはＩＡＢノード又は親ノードであってよく、第２ネットワークデバイスは、中継としてのＩＡＢノードであってよい。
【００６４】
以下、さらに、添付の図面を参照して、本開示で提案する解決手段について詳細に説明する。しかしながら、理解すべき点として、以下の実施形態は説明を目的として示されるものにすぎず、本開示はこれに限定されない。さらに理解すべき点として、文中で本開示の実施形態を参考に提案される解決手段については、バックホールリンクのスロットフォーマット構成を例に説明を行う。しかしながら、追加で又は代替として、文中に提案する解決手段を用いて、アクセスリンクのスロットフォーマットを示すことも可能である。
【００６５】
図４は、本開示のいくつかの実施形態にかかる、無線通信システムにおけるスロットフォーマット構成に用いられる方法のフローチャートを模式的に示す。方法４００は、第１ネットワークデバイスで実現することができる。第１ネットワークデバイスは、図１Ａに示すネットワークトポロジーのＩＡＢドナー、図１Ｂに示すネットワークトポロジーの親ノード（ＩＡＢドナー又は別の中継ノード）又は任意の他のネットワークデバイスであり得る。
【００６６】
図４に示すように、ステップ４１０において、第１ネットワークデバイスは、期間についてのアクセスリンク及びバックホールリンク用の構成を示すリンク構成情報を送信することができる。該リンク構成は、該期間についてのアクセスリンク及びバックホールリンクのリソース割当パターンを示す。例えば、リンク構成は、１ｍｓの期間における全てのスロットの各スロットが、アクセスリンク又はバックホールリンク用に構成されることを示すことができる。言い換えると、リンク構成は、スロットレベルの粒度及び１ｍｓの適応時間を有することができる。リンク構成情報は、ＩＡＢノード（例えば、中継として機能するＩＡＢノード）にリンク構成を示すためのものである。
【００６７】
リンク構成情報は例えば、期間と関連付けられるビットマップ形式であり得る。例えば、ビットマップ中の「０」は、アクセスリンク用のスロットを示し、ビットマップ中の「１」は、バックホールリンク用のスロットを示し、逆でも同様である。本開示のいくつかの実施形態において、期間の間に使用される、アクセスリンク及びバックホールリンク用のリンク構成を示すために、ビットマップ形式のリンク構成情報を、例えばＩＡＢノード等の第２ネットワークデバイスに送信することができる。
【００６８】
リンク構成は、周期的なバックホールリンク又はアクセスリンクをサポートすることができる。例えば、ビットマップ中に１つの「１」しか含まれない場合、各期間に１つのバックホールリンク送信が構成されていることを示す。ビットマップ中に、より均等に間隔を空けた「１」又は「０」を設定することで、より小さい周期のバックホールリンク又はアクセスリンクを構成することができる。
【００６９】
本開示のいくつかの実施形態では、２層のシグナリングで第２ネットワークデバイスにリンク構成情報を通知することができる。例えば、２つのシグナリングにより、中継であるＩＡＢノードにリンク構成を示すことができる。まず、期間についてのアクセスリンク及びバックホールリンク用の使用可能構成セットを示すために、第２ネットワークデバイスにリンク構成セット指示を送信することができる。その後、該期間についての使用可能構成セットのうちの１つの使用可能構成をアクティブ化するか、又はそれを変更するために、第２ネットワークデバイスに、リンク構成アクティブ化指示をさらに送信することができる。この方法により、リンク構成は、異なる期間での、アクセスリンクとバックホールリンクとの間のトラフィック負荷の異なる要求に適応することができる。以下、図５〜図６を参照しつつ、本開示のいくつかの実施形態にかかるリンク構成指示の例示的な実現について説明する。
【００７０】
図５は、本開示のいくつかの実施形態にかかる、無線リソース制御シグナリングにより構成されるビットマップ形式のリンク構成セットを示す。図５に示すように、ＲＲＣシグナリングにより、リンク構成セットを構成する。リンク構成セットは複数のリンク構成、即ちリンク構成１及びリンク構成２を含む。リンク構成において、「０」はアクセスリンク用のスロットを示し、「１」はバックホールリンク用のスロットを示す。リンク構成セットにおける上述の２つのリンク構成について、リンク構成をアクティブ化して現在のリンク構成を変更するために、図６に示すように、さらにＭＡＣ−ＣＥを用いてリンク構成のうちの１つをアクティブ化することができる。このような方法により、第２ネットワークデバイスは、現在のリンク構成を知ることができ、例えば、どのスロットがアクセスリンクか、又はどのスロットがバックホールリンクかを知ることができる。
【００７１】
さらに図４を再び参照すると、ステップ４２０において、第１ネットワークデバイスはさらに、該期間についてのアクセスリンク及びバックホールリンク用の構成で使用される、アクセスリンク及びバックホールリンクのうち少なくとも１つのための１つ又は複数のスロットフォーマットを示すために、スロットフォーマット構成情報を送信することができる。文中で使用されるスロットフォーマットは、スロット内のシンボル用の上りリンク及び下りリンクのための構成を示す。説明のみを目的として、図２においてスロットフォーマットのいくつかの例示を見出すことができる。スロットフォーマットは、動的又は半動的に構成することができる。例えば、スロットフォーマットは、下りリンク制御チャネルを利用して構成することができる。グループ公共物理下りリンク制御チャネル（ＧＣ−ＰＤＣＣＨ：group common-physical downlink control channel）は、情報を正確に送信できる堅牢な制御チャネルであり、したがってＧＣ−ＰＤＣＣＨは、スロットフォーマット構成情報の伝送に用いることができる。
【００７２】
図７に示すように、ＧＣ−ＰＤＣＣＨで伝送されるＳＦＩは、ＳＦ１、ＳＦ２及びＳＦ３を示し、アクティブ化されたリンク構成（構成１）におけるバックホールスロットでそれぞれ使用されるスロットフォーマットを示すことができる。理解すべき点として、図７には、バックホールリンクのスロットフォーマットが示されているが、代替として又は追加で、アクセスリンク用のスロットフォーマットが示されてもよい。本開示のいくつかの実施形態において、スロットフォーマットＳＦ１、ＳＦ２及びＳＦ３は、互いに同じであり得る。本開示の他のいくつかの実施形態において、ＳＦ１、ＳＦ２及びＳＦ３のうちの少なくともいくつかは、ＳＦ１、ＳＦ２及びＳＦ３のうちの他のものと異なる。
【００７３】
この方法により、第１ネットワークデバイスは、対応するリンクで使用されるスロットフォーマットを第２ネットワークデバイスに通知することができ、これにより、第１ネットワークデバイス及び第２ネットワークデバイスは、リンク構成及び示されたスロットフォーマットに基づき、データの送信／受信を実行できる。したがって、リンク構成情報を利用してスロットレベルでリソースリンクリソースを割り当てることができ、さらにスロットフォーマット構成情報により、柔軟なスロットフォーマットをサポートすることができる。
【００７４】
また、バックホールリンクとアクセスリンクとの切り替えを確実にするために、例えばバックホールリンク用のスロットフォーマットについてガード期間を設定することができる。例えば、第１ネットワークデバイスは、いくつかの特定のスロットフォーマットを有するバックホールリンクを構成することができる。
【００７５】
図８は、本開示の実施形態にかかる、バックホールリンクに適用することができる例示的スロットフォーマットを模式的に示す。ここでＧ１及びＧ２はガード期間を示し、「Ｕ」は上りリンクシンボルを示し、「Ｄ」は下りリンクシンボルを示す。また、ＮＲでは、「Ｘ」は「Ｕ」、「Ｄ」又は「Ｆ」シンボルであり得る。図８に示すように、スロットの開始シンボル及び終了シンボルの両方にガード期間を設定することができ、ここで、Ｇ１及びＧ２は、同じ時間長又は異なる時間長を有することができる。スロットフォーマットを利用して、平滑的に切り替えを実行することができるとともに、アクセスリンクとバックホールリンクとの切り替えを考慮せずに、アクセスリンクを自由にスケジューリングすることができる。ガード期間Ｇ１又はＧ２はそれぞれ、例えば２０ｕｓのように固定の時間長を有することができる。又は代替として、ガード期間Ｇ１又はＧ２は、可変の時間長を有することができる。時間長は、ＯＦＤＭシステムのサブキャリア間隔（ＳＣＳ）によって左右され得る。例えば、ＳＣＳ＝１５ＫＨｚに対し、Ｇは、バックホールリンクにおいて「Ｆ」として構成される１つのＯＦＤＭシンボルであり得る。ＳＣＳ＝３０ＫＨｚに対し、Ｇは、バックホールリンクにおいて「Ｆ」として構成される１〜２個のＯＦＤＭシンボルであり得る。ＳＣＳ＝１５×２ｕＫＨｚに対し、Ｇは、バックホールリンクにおいて「Ｆ」として構成される１〜２ｕ個のＯＦＤＭシンボルであり得る。ここで、Ｆは、ＮＲで定義された柔軟なＯＦＤＭシンボルを示す。
【００７６】
本開示のいくつかの実施形態において、Ｇ１は、Ｇ２と同一の時間長を有する。図９は、本開示のいくつかの実施形態にかかる、アクセスリンクとバックホールリンクとの切り替えに用いられる別の例示的スロットフォーマット構成を模式的に示す。図９に示すように、これらの例示的スロットフォーマットは、バックホールリンクに用いることができ、Ｇはガード期間を示し、「Ｕ」は上りリンクシンボルを示し、「Ｄ」は下りリンクシンボルを示し、「Ｘ」は「Ｕ」、「Ｄ」又は「Ｆ」を示す。ガード期間Ｇは、固定の時間長を有することができる。Ｇは、例えば「Ｆ」として構成される１つのＯＦＤＭシンボルであり得る。又は代替として、ガード期間Ｇは、可変の時間長を有することができる。同様に、ガード期間Ｇはサブキャリア間隔によって左右され得る。例えば、ＳＣＳ＝１５ＫＨｚに対し、Ｇは、バックホールリンクにおいて「Ｆ」として構成される１つのＯＦＤＭシンボルであり得る。ＳＣＳ＝３０ＫＨｚに対し、Ｇは、バックホールリンクにおいて「Ｆ」として構成される１〜２個のＯＦＤＭシンボルであり得る。ＳＣＳ＝１５×２ｕＫＨｚに対し、Ｇは、バックホールリンクにおいて「Ｆ」として構成される１〜２ｕ個のＯＦＤＭシンボルであり得る。ここで、Ｆは、ＮＲで定義された柔軟なＯＦＤＭシンボルを示す。図１０は、本開示のいくつかの実施形態にかかる、アクセスリンクとバックホールリンクとの切り替えに用いられるスロットフォーマット構成の例示的形式を示す。ここで、ガード期間Ｇは、１Ｆ、２Ｆ、３Ｆ又は４Ｆであり得る。
【００７７】
本開示のいくつかの実施形態において、ガード期間は、１つ又は複数のシンボルではなく、シンボルの一部分のみを占める。例えば、図１１に示すように、Ｇは０．５Ｆであり得る。この場合、図１２に示すように、計１３個の余剰シンボルがデータ送信に用いられる。
【００７８】
本開示のいくつかの実施形態において、Ｇ１及びＧ２は、異なる時間長を有する。このようなベースでは、スロットフォーマットは、図１３に示すような例示的形式を有することができ、ここで、Ｇ１は、柔軟なシンボルをＧ２より多く占有することができる。理解すべき点として、Ｇ１が柔軟なシンボルをＧ２より少なく占有することも可能である。
【００７９】
図８に示すスロットフォーマットでは、バックホールリンク用のスロットの開始及び終了シンボルのいずれにも、ガード期間を構成し、この場合、バックホールリンクの最初又は最後のシンボルの送信方向を考慮せずに、前後のアクセスリンクを自由にスケジューリングすることができる。本開示のいくつかの実施形態では、ガード期間を、スロット内の開始シンボル又は終了シンボルに配置することもできる。
【００８０】
図１４は、アクセスリンクスロット又はバックホールリンクスロットのうちのいずれかにおいてガード期間を設定可能な例示的な送信状況を示す。図１４に示すように、第１グループの状況は、ＴＤＤ及びＦＤＤモードの両方における、例えばＩＡＢノード等の第２ネットワークデバイスでの受信と送信との切り替えに関し、これは、ＲＦ切り替えを示している。第２グループの状況は、ＵＥへの送信から、ＢＳへの送信への切り替え、又はＢＳからの受信から、ＵＥからの受信への切り替えに関し、これは、ＴＤＤモードでクロスリンク干渉（ＣＬＩ）を引き起こす可能性がある。第３グループの状況は、ＵＥの受信からＢＳの受信への切り替え、又はＢＳへの送信から、ＵＥへの送信への切り替えに関し、これはビーム又はパネル切り替えを必要とする（しかも、これによりパネル又はビーム切り替えの遅延を引き起こす）可能性がある。こうした状況では、ＲＦ切り替え、ＣＬＩ保護、又はパネル若しくはビーム切り替え遅延のためのガード期間が必要となる。
【００８１】
図１４に示す状況に対し、図１５に示すように、前のスロットｎ−１の最後のシンボル、又は次のスロットの第１シンボルに、ガード期間を設定することができる。図１６は、こうした状況に用いることができる例示的スロットフォーマットをさらに示す。ここで、Ｇ１及びＧ２はガード期間を示し、「Ｕ」は上りリンクシンボルを示し、「Ｄ」は下りリンクシンボルを示し、「Ｘ」は「Ｕ」、「Ｄ」又は「Ｆ」シンボルを示す。同様に、ガード期間Ｇ１又はＧ２はそれぞれ、固定の時間長を有することができる。又は代替として、ガード期間Ｇ１又はＧ２は、可変の時間長を有することができる。時間長は、サブキャリア間隔によって左右され得る。例えば、ＳＣＳ＝１５ＫＨｚに対し、Ｇは、バックホールリンクにおいて「Ｆ」として構成される１つのＯＦＤＭシンボルであり得る。ＳＣＳ＝３０ＫＨｚに対し、Ｇは、バックホールリンクにおいて「Ｆ」として構成される１〜２個のＯＦＤＭシンボルであり得る。ＳＣＳ＝１５×２ｕＫＨｚに対し、Ｇは、バックホールリンクにおいて「Ｆ」として構成される１〜２ｕ個のＯＦＤＭシンボルであり得る。ここで、Ｆは、ＮＲで定義された柔軟なＯＦＤＭシンボルを示す。
【００８２】
図１７Ａ〜図１７Ｃは、本開示のいくつかの実施形態にかかる、ＦＤＤモードでのスロットフォーマットの例示的な解決手段を示す。ＦＤＤモードでは、アクセス上りリンク及びバックホール上りリンクが、ある無線周波数を共用し、アクセス下りリンク及びバックホール下りリンクは、別の無線周波数を共用する。したがって、アクセス上りリンクとバックホール上りリンクとの間、又はアクセス下りリンクとバックホール下りリンクとの間での切り替え期間においてのみ、ガード期間が必要となる。
【００８３】
図１７Ａは、スロットフォーマットでガード期間が必要となる４つのシナリオを模式的に示す図である。第１のシナリオでは、アクセスリンク（ＡＬ）の終了シンボルがＩＡＢノードでの送信「Ｔ」に用いられ、且つバックホールリンク（ＢＨ）の開始シンボルがＩＡＢノードでの受信「Ｒ」に用いられるときに、切り替えを行う。第２のシナリオでは、ＢＨ終了シンボルがＩＡＢノードでの受信「Ｒ」に用いられ、且つＡＬ開始シンボルがＩＡＢノードでの送信「Ｔ」に用いられるときに、切り替えを行う。第３のシナリオでは、ＡＬ終了シンボルがＩＡＢノードでの受信「Ｒ」に用いられ、且つＢＨ開始シンボルがＩＡＢノードでの送信「Ｔ」に用いられるときに、切り替えを行う。第４のシナリオでは、ＢＨ終了シンボルがＩＡＢノードでの送信「Ｔ」に用いられ、且つＡＬ開始シンボルがＩＡＢノードでの受信「Ｒ」に用いられるときに、切り替えを行う。
【００８４】
図１７Ｂは、本開示のいくつかの実施形態にかかる、ＦＤＤシステムにおける例示的な切り替え状況及びガード期間設定を模式的に示す。この場合、図１７Ｂの太枠のブロックに示すように、ガード期間を、バックホールスロットの開始シンボル及び終了シンボルに設定することができる。しかしながら、スロット内の実際のガード期間は、異なっていてよい。図示されている中継としてのＩＡＢノードでのＡＤＬ  Ｔ（アクセス下りリンク送信）からＢＤＬ  Ｒ（バックホール下りリンク受信）への切り替えでは、伝播延遅により時間のギャップが存在するが、その間の時間をガード期間の一部分とすることができ、このため、バックホールリンクスロット内の実際のガード期間が減少する。反対に、図示されているＢＤＬ  ＲからＡＤＬ  Ｔへの切り替えでは、伝播延遅により時間のオーバーラップが存在し、その間の時間はガード期間の一部として使用できないため、バックホールリンクスロット内の実際のガード期間が増加する。同様に、ＡＵＬ  Ｒ（アクセス上りリンク受信）からＢＵＬ  Ｔ（バックホール上りリンク送信）への切り替えでは、バックホール上りリンク送信のための正のタイムアドバンスがある場合、バックホールリンクスロット内の実際のガード期間が増加するが、ＢＵＬ  Ｔ（バックホール上りリンク送信）からＡＵＬ  Ｒ（アクセス上りリンク受信）への切り替えでは、バックホールスロットが減少する。
【００８５】
図１７Ｃは、本開示のいくつかの実施形態にかかる、バックホールリンクに適用することができる例示的スロットフォーマットを模式的に示す。ここでＧ１及びＧ２はガード期間を示し、「Ｕ」は上りリンクシンボルを示し、「Ｄ」は下りリンクシンボルを示す。図１７Ｃに示すように、スロットの開始シンボル及び終了シンボルの両方にガード期間を設定することができ、ここで、Ｇ１及びＧ２は、同じ時間長又は異なる時間長を有することができる。Ｇ１及びＧ２はそれぞれ、固定の時間長を有することができ、又は、ネットワークデバイスにより構成することができる時間長を有することができる。Ｇ１及びＧ２のシンボルの数は、ＳＣＳによって左右され得る。
【００８６】
以下、ＴＤＤシステムにおけるガード期間について説明する。ＴＤＤモードでは、下りリンク及び上りリンクは、時分割モードで送信リソースを共用する。したがって、ＴＤＤシステムには、さまざまな時間整合モードが関係しており、ガード期間は異なる整合モードに対し異なっていてよい。言い換えると、ガード期間は、リンク送信の時間整合モードによって左右される時間長を有することができる。以下、図１８Ａ〜図２４Ｂを参照しつつこれらのシナリオを詳細に説明する。
【００８７】
図１８Ａは、本開示のいくつかの実施形態にかかる、ＴＤＤモードでのアクセスリンクからバックホールリンクへの切り替えの４つの送信状況を示す。図１８Ａに示すように、第１送信状況は、ＡＬ終了シンボルをＩＡＢノードでの送信「Ｔ」（下りリンクシンボル）に用い、ＢＨ開始シンボルをＩＡＢノードでの受信「Ｒ」（柔軟又は下りリンクシンボル）に用いる場合に行われる切り替えである。第２送信状況は、ＡＬ終了シンボルをＩＡＢノードでの送信「Ｔ」（下りリンクシンボル）に用い、ＢＨ開始シンボルをＩＡＢノードでの送信「Ｔ」（柔軟又は上りリンクシンボル）に用いる場合に行われる切り替えである。第３送信状況は、ＡＬ終了シンボルをＩＡＢノードでの受信「Ｒ」（上りリンクシンボル）に用い、ＢＨ開始シンボルをＩＡＢノードでの送信「Ｔ」（柔軟又は上りリンクシンボル）に用いる場合に行われる切り替えである。第４送信状況は、パネル切り替え時間が、認められる遅延より長い場合に、ＡＬ終了シンボルをＩＡＢノードでの受信「Ｒ」（上りリンクシンボル）に用い、ＢＨ開始シンボルをＩＡＢノードでの受信「Ｒ」（柔軟又は下りリンクシンボル）に用いる場合に行われる切り替えである。
【００８８】
図１８Ｂは、本開示のいくつかの実施形態にかかる、ＴＤＤモードでのバックホールリンクからアクセスリンクへの切り替えの４つの送信状況を示す。図１８Ｂに示すように、第１送信状況は、ＢＨ終了シンボルをＩＡＢノードでの受信「Ｒ」（柔軟又は下りリンクシンボル）に用い、ＡＬ開始シンボルをＩＡＢノードでの送信「Ｔ」（下りリンクシンボル）に用いる場合に行われる切り替えである。第２送信状況は、ＢＨ終了シンボルをＩＡＢノードでの受信「Ｒ」（柔軟又は下りリンクシンボル）に用い、ＡＬ開始シンボルをＩＡＢノードでの受信「Ｒ」（上りリンクシンボル）に用いる場合に行われる切り替えである。第３送信状況は、ＢＨ終了シンボルをＩＡＢノードでの送信「Ｔ」（柔軟又は上りリンクシンボル）に用い、ＡＬ開始シンボルをＩＡＢノードでの送信「Ｔ」（下りリンクシンボル）に用いる場合に行われる切り替えである。第４送信状況は、ＢＨ終了シンボルをＩＡＢノードでの送信「Ｔ」（柔軟又は上りリンクシンボル）に用い、ＡＬ開始シンボルをＩＡＢノードでの受信「Ｒ」（上りリンク）に用いる場合に行われる切り替えである。
【００８９】
理解すべき点として、図１８Ａ及び１８Ｂはそれぞれ、アクセスリンクからバックホールリンクへの切り替え、及びバックホールリンクからアクセスリンクへの切り替えを示している。実際には、実際のデータ送信中、切り替えは通常ペアで行われる。また、本開示の実施形態は主に、バックホールリンクの開始及び終了での切り替えに関する。
【００９０】
図１９Ａは、図１８Ａに示す４つの送信状況と対応する４つの送信シナリオを模式的に示す。ここで、ＤＬ送信はＩＡＢノード及びＩＡＢドナーノードに亘って整合される。この場合、図１９Ａの太枠のブロックに示すように、バックホールスロットの開始シンボルに、ガード期間を設定することができる。図１９Ｂは、図１８Ｂに示す４つの送信状況と対応する４つの送信シナリオを模式的に示す。ここで、ＤＬ送信はＩＡＢノード及びＩＡＢドナーノードに亘って整合される。この場合、図１９Ｂの太枠のブロックに示すように、ガード期間を、バックホールスロットの終了シンボルに設定することができる。図１９Ａ及び図１９Ｂから理解できるように、アクセスリンクとバックホールリンクとの間に時間のギャップがある場合（伝播遅延又はタイムアドバンスのため）、該時間のギャップの所定値の分だけ、バックホールスロット内のガード期間を減少させることができる。他方、アクセスリンクとバックホールリンクとの間に時間のオーバーラップがある場合（伝播遅延又はタイムアドバンスのため）、該時間のオーバーラップの所定値の分だけ、バックホールスロット内のガード期間を増加させることができる。このようにして、ＩＡＢドナー又は親ノード等の第１ネットワークデバイスは、例えば図８及び図１６に示すようなスロットフォーマットの１つを構成することができ、Ｇ１及びＧ２は、第１ネットワークデバイスからの構成シグナリング又は所定のテーブルに基づき、異なる値を有することができる。
【００９１】
図２０Ａは、図１８Ａに示す４つの送信状況と対応する４つの送信シナリオを模式的に示す。ここで、ＤＬ送信及びＵＬ送信は、ＩＡＢノードで整合される（ＵＥ  通常のＴＡ）。この場合、図２０の太枠のブロックに示すように、ガード期間を、バックホールスロットの開始シンボルに設定することができる。図２０Ｂは、図１８Ｂに示す４つの送信状況と対応する４つの送信シナリオを模式的に示す。ここで、ＤＬ送信及びＵＬ送信は、ＩＡＢノードで整合される。この場合、図２０Ｂの太枠のブロックに示すように、ガード期間を、バックホールスロットの終了シンボルに設定することができる。同様に、図２０Ａ及び図２０Ｂにおいて、アクセスリンクとバックホールリンクとの間に時間のギャップがある場合（伝播遅延又はタイムアドバンスのため）、該時間のギャップの所定値の分だけ、バックホールスロット内のガード期間を減少させることができる。他方、アクセスリンクとバックホールリンクとの間に時間のオーバーラップがある場合（伝播遅延又はタイムアドバンスのため）、該時間のオーバーラップの所定値の分だけ、バックホールスロット内のガード期間を増加させることができる。このようにして、ＩＡＢドナー又は親ノード等の第１ネットワークデバイスは、例えば図８及び図１６に示すようなスロットフォーマットの１つを構成することができ、Ｇ１及びＧ２は、第１ネットワークデバイスからの構成シグナリング又は所定のテーブルに基づき、異なる値を有することができる。
【００９２】
図２１Ａは、図１８Ａに示す４つの送信状況と対応する４つの送信シナリオを模式的に示す。ここで、ＤＬ受信及びＵＬ受信は、ＩＡＢノードで整合される。この場合、図２１Ａの太枠のブロックに示すように、ガード期間を、バックホールスロットの開始シンボルに設定することができる。図２１Ｂは、図１８Ｂに示す４つの送信状況と対応する４つの送信シナリオを模式的に示す。ここで、ＤＬ受信及びＵＬ受信は、ＩＡＢノードで整合される（ＵＥ  通常のＴＡ）。この場合、図２１Ｂの太枠のブロックに示すように、ガード期間を、バックホールスロットの終了シンボルに設定することができる。同様に、図２１Ａ及び図２１Ｂにおいて、アクセスリンクとバックホールリンクとの間に時間のギャップがある場合（伝播遅延又はタイムアドバンスのため）、該時間のギャップの所定値の分だけ、バックホールスロット内のガード期間を減少させることができる。他方、アクセスリンクとバックホールリンクとの間に時間のオーバーラップがある場合（伝播遅延又はタイムアドバンスのため）、該時間のオーバーラップの所定値の分だけ、バックホールスロット内のガード期間を増加させることができる。このようにして、ＩＡＢドナー又は親ノード等の第１ネットワークデバイスは、例えば図８及び図１６に示すようなスロットフォーマットの１つを構成することができ、Ｇ１及びＧ２は、第１ネットワークデバイスからの構成シグナリング又は所定のテーブルに基づき、異なる値を有することができる。
【００９３】
図２２Ａは、図１８Ａに示す４つの送信状況と対応する４つの送信シナリオを模式的に示す。ここで、ＤＬ送信及びＵＬ送信は、送信期間にＩＡＢノードで整合され、ＤＬ受信及びＵＬ受信は、受信期間にＩＡＢノードで整合される。この場合も、負のＴＡが生じる可能性があるものの、図２２Ａの太枠のブロックに示すように、ガード期間を、バックホールスロットの開始シンボルに設定することができる。図２２Ｂは、図１８Ｂに示す４つの送信状況と対応する４つの送信シナリオを模式的に示す。ここで、ＤＬ送信及びＵＬ送信は、送信期間にＩＡＢノードで整合され、ＤＬ受信及びＵＬ受信は、受信期間にＩＡＢノードで整合される。この場合も、負のＴＡが生じる可能性があるものの、図２２Ｂの太枠のブロックに示すように、ガード期間を、バックホールスロットの終了シンボルに設定することができる。同様に、図２２Ａ及び図２２Ｂにおいて、アクセスリンクとバックホールリンクとの間に時間のギャップがある場合（伝播遅延又はタイムアドバンスのため）、該時間のギャップの所定値の分だけ、バックホールスロット内のガード期間を減少させることができる。他方、アクセスリンクとバックホールリンクとの間に時間のオーバーラップがある場合（伝播遅延又はタイムアドバンスのため）、該時間のオーバーラップの所定値の分だけ、バックホールスロット内のガード期間を増加させることができる。このようにして、ＩＡＢドナー又は親ノード等の第１ネットワークデバイスは、例えば図８及び図１６に示すようなスロットフォーマットの１つを構成することができ、Ｇ１及びＧ２は、第１ネットワークデバイスからの構成シグナリング又は所定のテーブルに基づき、異なる値を有することができる。
【００９４】
図２３Ａは、図１８Ａに示す４つの送信状況と対応する４つの送信シナリオを模式的に示す。ここで、ＤＬ送信及びＵＬ送信は、ＩＡＢノードで整合され、ＵＬ及びＤＬ送信は、ＩＡＢノードで整合される。この場合、図２３Ａの太枠のブロックに示すように、ガード期間を、バックホールスロットの開始シンボルに設定することができる。図２３Ｂは、図１８Ｂに示す４つの送信状況と対応する４つの送信シナリオを模式的に示す。ここで、ＤＬ送信及びＵＬ送信は、ＩＡＢノードで整合され、ＵＬ送信及びＤＬ送信は、ＩＡＢノードで整合される（ＢＵＬでのＴＡ／２）。この場合、図２３Ｂの太枠のブロックに示すように、ガード期間を、バックホールスロットの終了シンボルに設定することができる。同様に、図２３Ａ及び図２３Ｂにおいて、アクセスリンクとバックホールリンクとの間に時間のギャップがある場合（伝播遅延又はタイムアドバンスのため）、該時間のギャップの所定値の分だけ、バックホールスロット内のガード期間を減少させることができる。他方、アクセスリンクとバックホールリンクとの間に時間のオーバーラップがある場合（伝播遅延又はタイムアドバンスのため）、該時間のオーバーラップの所定値の分だけ、バックホールスロット内のガード期間を増加させることができる。このようにして、ＩＡＢドナー又は親ノード等の第１ネットワークデバイスは、例えば図８及び図１６に示すようなスロットフォーマットの１つを構成することができ、Ｇ１及びＧ２は、第１ネットワークデバイスからの構成シグナリング又は所定のテーブルに基づき、異なる値を有することができる。
【００９５】
図２４Ａは、図１８Ａに示す４つの送信状況と対応する４つの送信シナリオを模式的に示す。ここで、ＤＬ送信はＩＡＢノード及びＩＡＢドナーノードに亘って整合され、ＤＬ受信及びＵＬ受信はＩＡＢノードで整合される。この場合、図２４Ａの太枠のブロックに示すように、ガード期間を、バックホールスロットの開始シンボルに設定することができる。図２４Ｂは、図１８Ｂに示す４つの送信状況と対応する４つの送信シナリオを模式的に示す。ここで、ＤＬ送信はＩＡＢノード及びＩＡＢドナーノードに亘って整合され、ＤＬ受信及びＵＬ受信はＩＡＢノードで整合される（アクセス  負のＴＡ）。この場合、図２４Ｂの太枠のブロックに示すように、ガード期間を、バックホールスロットの終了シンボルに設定することができる。同様に、図２４Ａ及び図２４Ｂにおいて、アクセスリンクとバックホールリンクとの間に時間のギャップがある場合（伝播遅延又はタイムアドバンスのため）、該時間のギャップの所定値の分だけ、バックホールスロット内のガード期間を減少させることができる。他方、アクセスリンクとバックホールリンクとの間に時間のオーバーラップがある場合（伝播遅延又はタイムアドバンスのため）、該時間のオーバーラップの所定値の分だけ、バックホールスロット内のガード期間を増加させることができる。このようにして、ＩＡＢドナー又は親ノード等の第１ネットワークデバイスは、例えば図８及び図１６に示すようなスロットフォーマットの１つを構成し、Ｇ１及びＧ２は、第１ネットワークデバイスからの構成シグナリング又は所定のテーブルに基づき、異なる値を有することができる。
【００９６】
提案されたガード期間設定に従い、第２ネットワークデバイスは、リンク構成及び示されたスロットフォーマットに基づき、アクセスリンクとバックホールリンクとの切り替えを実行することができる。さらに理解すべき点として、図１９Ａ〜図２４Ａ及び図１９Ｂ〜図２４Ｂはそれぞれ、アクセスリンクからバックホールリンクへの切り替え、及びバックホールリンクからアクセスリンクへの切り替えを示す。実際の送信では、切り替えは、バックホールスロットの開始シンボル及び終了シンボルで発生する可能性がある。これは、切り替えが、図１９Ａ〜図２４Ａの１つが示すシナリオと、図１９Ｂ〜図２４Ｂの対応する図に示される別のシナリオとの組合せであることを意味する。この場合、図８〜図１２のうちのいずれか１つに示されるスロットフォーマットを使用することができる。言い換えると、第１ネットワークデバイスは、ＧＣ−ＰＤＣＣＨを利用してスロットフォーマットの１つを構成することができる。また、バックホールリンクが、アクセスリンクで使用されるスロットフォーマットに関する情報を有する場合、図１６に示すスロットフォーマットを使用してもよい。
【００９７】
図２５は、本開示のいくつかの実施形態にかかる、スロットフォーマット指示を受信するための方法のフローチャートを模式的に示す。該方法は、第２ネットワークデバイス（例えば中継としてのＩＡＢノード又は他の任意の中継ノード）で実現することができる。
【００９８】
図２５に示すように、ステップ２５１０において、第２ネットワークデバイスは、期間についてのアクセスリンク及びバックホールリンク用の構成を示すリンク構成情報を受信することができる。リンク構成とは、該期間内のアクセスリンク及びバックホールリンクについてのリソース割当を指し、例えば、該期間における各スロットがアクセスリンク又はバックホールリンクであることを示す。言い換えれば、リンク構成は、スロットレベルの構成であり得る。リンク構成情報は、第２ネットワークデバイス（例えば、ＩＡＢノードとして機能するネットワークデバイス）に対してリンク構成を示すためのものである。
【００９９】
リンク構成情報は例えば、ビットマップ形式であり得る。例えば、ビットマップ中の「０」は、アクセスリンク用のスロットを示し、ビットマップ中の「１」は、バックホールリンク用のスロットを示し、逆でも同様である。本開示のいくつかの実施形態において、例えばＩＡＢノード等の第２ネットワークデバイスはビットマップ形式でリンク構成情報を受信することができ、ＩＡＢノード等の第２ネットワークデバイスは、該リンク構成情報の中から、該期間の間に使用されるアクセスリンク及びバックホールリンク用のリンク構成を知ることができる。
【０１００】
本開示のいくつかの実施形態において、例えば、図５及び図６に示すように、二層のシグナリングにおいて、例えばＩＡＢノード等の第２ネットワークデバイスに対しリンク構成情報を通知することができる。まず、第２ネットワークデバイスでリンク構成セット指示を受信することができる。リンク構成セット指示は、図５に示すように、該期間についてのアクセスリンク及びバックホールリンク用の使用可能構成セットを示すことができる。その後、第２ネットワークデバイスでリンク構成アクティブ化指示を受信することができ、図６に示すように、第２ネットワークデバイスは、リンク構成アクティブ化指示に示された使用可能構成セットのうちの１つの使用可能構成を、このリンク構成アクティブ化指示に応じて、アクティブ化することができる。
【０１０１】
再び図２５を参照すると、ステップ２５２０において、例えばＩＡＢノード等の第２ネットワークデバイスはさらに、スロットフォーマット構成情報を受信することができる。スロットフォーマット構成情報は、該期間についてのアクセスリンク及びバックホールリンク用の構成において使用される１つ又は複数のスロットフォーマットを示す。文中で使用するスロットフォーマットは、一スロット内におけるシンボルについての上りリンク及び下りリンク構成を表す。スロットフォーマットは、動的又は半動的に構成することができる。例えば、スロットフォーマットは、例えばＧＣ−ＰＤＣＣＨ等の下りリンク制御チャネルを利用して構成することができる。該下りリンク制御チャネルは、堅牢な制御チャネルであり、情報を正確に送信することができる。図７に、例示的スロットフォーマット指示を示す。図７は、ＧＣ−ＰＤＣＣＨで伝送されるＳＦＩにより示されるＳＦ１、ＳＦ２及びＳＦ３を示す。該例示的スロットフォーマット指示は、アクティブ化されたリンク構成におけるバックホールスロットでそれぞれ使用されるスロットフォーマットを示すことができる。
【０１０２】
本開示のいくつかの実施形態において、バックホールリンクとアクセスリンクとの切り替えを確実にするために、スロットフォーマットはガード期間を含むことができる。ガード期間は、以下のいずれかに構成することができる。すなわち、スロット内の開始シンボル、スロット内の終了シンボル、並びにスロット内の開始シンボル及び終了シンボルの両方のうちのいずれかに設定することができる。図８、図９、図１０、図１１及び図１３は、ＴＤＤモードにおいてスロットの開始シンボル及び終了シンボルの両方にガード期間を含むいくつかの例示的スロットフォーマットを示す。図１６は、スロットの開始シンボル又は終了シンボルにガード期間を含むいくつかの例示的スロットフォーマットを示す。また、図１７Ｃは、ＦＤＤモードにおいてスロットの開始シンボル及び終了シンボルの両方にガード期間を含むいくつかの例示的スロットフォーマットを示す。
【０１０３】
本開示のいくつかの実施形態において、全ての状況について、ガード期間は固定の時間長を有することができる。本開示の他のいくつかの実施形態において、ガード期間のシンボルの数は、サブキャリア間隔によって左右される。例えば、ＳＣＳ＝１５ＫＨｚに対し、バックホールリンクにおけるＧは１Ｆであってよく、ＳＣＳ＝３０ＫＨｚに対し、バックホールリンクにおけるＧは１Ｆ〜２Ｆであってよく、ＳＣＳ＝１５＊２ｕＫＨｚに対し、バックホールリンクにおけるＧは１Ｆ〜１＊２ｕＦであってよい。本開示のいくつかの実施形態において、ガード期間は、図１９Ａ〜図２４Ｂに示すように、リンク送信のタイミング整合モードによって左右される時間長を有することができる。
【０１０４】
以上、図２５を参照しつつ、第２ネットワークデバイスで実行される本開示の解決手段について簡単に説明した。第２ネットワークデバイスにおいて、第２ネットワークデバイスは第１ネットワークデバイスから構成情報及び／又は指示を受信し、その中に含まれる情報を取得し、該情報に基づき送信を実行することができる。第２ネットワークデバイスでの大多数の動作は、端末デバイスでの動作と対応しており、したがって動作についての詳細は、図４〜図２４Ｂを参照して行った説明を参照することができる。
【０１０５】
図２６は、本開示のいくつかの実施形態にかかる、無線通信システムにおけるスロットフォーマット構成のための装置のブロック図を模式的に示す。装置２６００は、基地局（例えば、ＩＡＢドナーとして機能するｇＮＢ）又は他の任意のデバイスにおいて実現することができる。
【０１０６】
図２６に示すように、装置２６００は、リンク構成送信モジュール２６１０と、スロットフォーマット構成送信モジュール２６２０とを含むことができる。リンク構成送信モジュール２６１０は、リンク構成情報を送信するように構成され得る。該リンク構成情報は、ある期間内のアクセスリンク及びバックホールリンク用の構成を示す。スロットフォーマット構成送信モジュール２６２０は、スロットフォーマット構成情報を送信するように構成され得る。該スロットフォーマット構成情報は、該期間内のアクセスリンク及びバックホールリンクについての構成で使用される、アクセスリンク及びバックホールリンクのうちの少なくとも１つについての１つ又は複数のスロットフォーマットを示す。
【０１０７】
本開示のいくつかの実施形態において、リンク構成送信モジュール２６１０はさらに、リンク構成セット指示を送信するように構成され得る。該リンク構成セット指示は、該期間についてのアクセスリンク及びバックホールリンク用の使用可能構成セットを示すためのものである。リンク構成送信モジュール２６１０はさらに、使用可能構成セットうちの１つの使用可能構成をアクティブ化するリンク構成アクティブ化指示を送信するように構成され得る。
【０１０８】
本開示のいくつかの実施形態において、リンク構成送信モジュール２６１０は、無線リソース制御シグナリングにより、リンク構成セット指示を送信するように構成され得る。追加で又は代替として、リンク構成送信モジュール２６１０は、ＭＡＣ−ＣＥにおいて、リンク構成アクティブ化指示を送信するように構成され得る。追加で又は代替として、スロットフォーマット構成送信モジュール２６２０はさらに、下りリンク制御チャネルにおいてスロットフォーマット構成情報を送信するように構成され得る。
【０１０９】
本開示のいくつかの実施形態において、スロットフォーマットは、以下のいずれかに位置するガード期間を含むことができる。すなわち、スロット内の開始シンボル、スロット内の終了シンボル、並びに、スロット内の開始シンボル及び終了シンボルの両方のうちのいずれかに位置するガード期間を含むことができる。
【０１１０】
本開示のいくつかの実施形態において、ガード期間は固定の時間長を有することができる。本開示のいくつかの実施形態において、ガード期間のシンボルの数は、サブキャリア間隔によって左右され得る。本開示のいくつかの実施形態において、ガード期間は、リンク送信のタイミング整合モードによって左右される時間長を有することができる。
【０１１１】
本開示のいくつかの実施形態において、開始シンボル及び終了シンボルでのガード期間は、異なる時間長を有することができる。
【０１１２】
本開示のいくつかの実施形態において、スロットフォーマット構成情報は１つ又は複数のスロットフォーマットを示すことができる。前記１つ又は複数のスロットフォーマットは、該期間についてのアクセスリンク及びバックホールリンク用の構成における、１つ又は複数のバックホールリンクのためのものである。
【０１１３】
図２７は、本開示のいくつかの実施形態にかかるスロットフォーマット構成を受信するための装置２７００のブロック図を模式的に示す。装置２７００は、第２ネットワークデバイス（例えば、中継としてのＩＡＢノード）又は他の任意の中継ノードで実現することができる。
【０１１４】
図２７に示すように、装置２７００は、リンク構成受信モジュール２７１０と、スロットフォーマット構成受信モジュール２７２０とを含むことができる。リンク構成受信モジュール２７１０は、リンク構成情報を受信するように構成され得る。該リンク構成情報は、ある期間内のアクセスリンク及びバックホールリンク用の構成を示す。スロットフォーマット構成受信モジュール２７２０は、スロットフォーマット構成情報を受信するように構成される。該スロットフォーマット構成情報は、該期間についてのアクセスリンク及びバックホールリンク用の構成で使用される、アクセスリンク及びバックホールリンクのうち少なくとも１つのための１つ又は複数のスロットフォーマットを示す。
【０１１５】
本開示のいくつかの実施形態において、リンク構成受信モジュール２７１０はさらに、リンク構成セット指示を受信するように構成される。該リンク構成セット指示は、該期間内についてのアクセスリンク及びバックホールリンク用の使用可能構成セットを示すためのものである。リンク構成受信モジュール２７１０はさらに、前記使用可能構成セットうちの１つの使用可能構成をアクティブ化するために、リンク構成アクティブ化指示を受信するように構成される。
【０１１６】
本開示のいくつかの実施形態において、リンク構成受信モジュール２７１０は、無線リソース制御シグナリングにおいて、リンク構成セット指示を受信するように構成され得る。追加で又は代替として、リンク構成受信モジュール２７１０は、ＭＡＣ−ＣＥにおいて、リンク構成アクティブ化指示を受信するように構成され得る。追加で又は代替として、スロットフォーマット構成受信モジュール２７２０はさらに、下りリンク制御チャネルにおいて、スロットフォーマット構成情報を受信するように構成され得る。
【０１１７】
本開示のいくつかの実施形態において、スロットフォーマットは、以下のいずれかに位置するガード期間を含むことができる。すなわち、スロット内の開始シンボル、スロット内の終了シンボル、並びに、スロット内の開始シンボル及び終了シンボルの両方のうちのいずれかに位置するガード期間を含むことができる。
【０１１８】
本開示のいくつかの実施形態において、ガード期間は固定の時間長を有することができる。本開示のいくつかの実施形態において、ガード期間のシンボルの数は、サブキャリア間隔によって左右され得る。本開示のいくつかの実施形態において、ガード期間は、リンク送信のタイミング整合モードによって左右される時間長を有することができる。
【０１１９】
本開示のいくつかの実施形態において、開始シンボル及び終了シンボルに位置するガード期間は、異なる時間長を有することができる。
【０１２０】
本開示のいくつかの実施形態において、スロットフォーマット構成情報は、該期間についてのアクセスリンク及びバックホールリンク用の構成における、１つ又は複数のバックホールリンクのための１つ又は複数のスロットフォーマットを示すことができる
【０１２１】
以上、図２６〜図２７を参照しつつ装置２６００〜装置２７００について簡単に説明した。装置２６００〜装置２７００は、図４〜図２５を参照して説明した機能を実現するように構成され得る点に注意されたい。したがって、これらの装置におけるモジュールの動作に関する詳細については、図４〜図２５を参照する方法の対応するステップに関する説明を、参照することができる。
【０１２２】
また、注意すべき点として、装置２６００〜装置２７００のコンポーネントは、ハードウェア、ソフトウェア、ファームウェア及び／又はそれらの任意の組合せにより具現化することができる。例えば、装置２６００〜装置２７００のコンポーネントはそれぞれ、回路、プロセッサ又は他の任意の適切な選択されたデバイスにより実現することができる。
【０１２３】
当業者であれば認識できるように、以上の例示は限定ではなく説明用にすぎず、本開示はこれによって限定されない。本明細書で提供した教示内容から、複数の変更、追加、削除及び修正が容易に想到できるが、こうした変更、追加、削除及び修正は全て、本開示の保護範囲に含まれる。
【０１２４】
また、本開示のいくつかの実施形態において、装置２６００〜装置２７００は少なくとも１つのプロセッサを含むことができる。例示として、本開示の実施形態と共に使用されるのに適した少なくとも１つのプロセッサは、既知の又は将来開発される汎用プロセッサ及び専用プロセッサの両方を含むことができる。装置２６００〜装置２７００はさらに、少なくとも１つのメモリを含むことができる。少なくとも１つのメモリは例えば、ＲＡＭ、ＲＯＭ、ＥＰＲＯＭ、ＥＥＰＲＯＭ及びフラッシュメモリ等の半導体メモリを含むことができる。少なくとも１つのメモリは、コンピュータが実行可能な命令のプログラムを記憶するために用いることができる。該プログラムは上位及び／又は下位レベルの互換可能な又は解釈可能な任意のプログラミング言語で記述することができる。実施形態によれば、コンピュータが実行可能な命令は、少なくとも１つのプロセッサと共に、装置２６００〜装置２７００に、図４〜図２５を参照して述べた方法に基づく動作をそれぞれ少なくとも実行させるように、構成され得る。
【０１２５】
図２８は、装置２８１０及び装置２８２０の簡略化ブロック図を模式的に図示する。文中で述べたように、装置２８１０は、例えばＩＡＢドナー又は親ノード等の第１ネットワークデバイスとして具現化されてもよいし、又はそれに含まれていてもよい。装置２８２０は、例えばＩＡＢノード等の第２ネットワークデバイスとして具現化されてもよいし、又はそれに含まれていてもよい。
【０１２６】
装置２８１０は、少なくとも１つのプロセッサ２８１１（例えばデータプロセッサ（ＤＰ））と、プロセッサ２８１１に結合される少なくとも１つのメモリ（ＭＥＭ）２８１２とを含む。装置２８１０はさらに、プロセッサ２８１１に結合される送信機ＴＸ及び受信機ＲＸ  ２８１３を含むことができ、送信機ＴＸ及び受信機ＲＸ  ２８１３は、装置２８２０に通信接続するように動作可能である。ＭＥＭ  ２８１２はプログラム（ＰＲＯＧ）２８１４を記憶する。ＰＲＯＧ  ２８１４は、関連するプロセッサ２８１１上で実行されると、装置２８１０に本開示の実施形態（例えば、方法４００）に基づき動作を行わせる命令を含むことができる。少なくとも１つのプロセッサ２８１１及び少なくとも１つのＭＥＭ  ２８１２の組合せは、本開示の各実施形態の実現に適合する処理装置２８１５を構成することができる。
【０１２７】
装置２８２０は、少なくとも１つのプロセッサ２８２１（例えばＤＰ）と、プロセッサ２８２１に結合される少なくとも１つのＭＥＭ  ２８２２とを含む。装置２８２０はさらに、プロセッサ２８２１に結合される適切なＴＸ／ＲＸ  ２８２３を含むことができ、ＴＸ／ＲＸ  ２８２３は、装置２８２０と無線通信を行うように動作することができる。ＭＥＭ  ２８２２はＰＲＯＧ  ２８２４を記憶する。ＰＲＯＧ  ２８２４は、関連するプロセッサ２８２１上で実行されると、本開示の実施形態（例えば、方法２５００）に基づき装置２８２０に動作を行わせる命令を含むことができる。少なくとも１つのプロセッサ２８２１及び少なくとも１つのＭＥＭ  ２８２２の組合せは、本開示の各実施形態の実現に適合する処理装置２８２５を構成することができる。
【０１２８】
本開示の各実施形態は、プロセッサ２８１１、プロセッサ２８２１のうち１つ又は複数により実行可能なコンピュータプログラム、ソフトウェア、ファームウェア、ハードウェア又はそれらの組合せにより実現することができる。
【０１２９】
ＭＥＭ  ２８１２及びＭＥＭ  ２８２２は、ローカルの技術環境に適した任意のタイプであってよく、任意の適切なデータ記憶技術により実現することができ、例えば、半導体による記憶装置、磁気記憶装置及びシステム、光学記憶装置及びシステム、固定メモリ及び移動可能メモリ等が挙げられるが、これらに限定されない。
【０１３０】
プロセッサ２８１１及びプロセッサ２８２１は、ローカルの技術環境に適した任意のタイプであってよく、例として、汎用コンピュータ、専用コンピュータ、マイクロプロセッサ、デジタル信号処理器ＤＳＰ、及びマルチコアプロセッサ構成に基づくプロセッサのうち、一つ又は複数を含むことができるが、これらに限定されない。
【０１３１】
また、本開示は、上述したようなコンピュータプログラムを含む担体も提供することができる。ここで、該担体は電気信号、光信号、無線信号又はコンピュータ可読記憶媒体のうちの１つである。コンピュータ可読記憶媒体は例えば、ＲＡＭ（ランダムアクセスメモリ）、ＲＯＭ（リードオンリーメモリ）、フラッシュメモリ、テープ、ＣＤ−ＲＯＭ、ＤＶＤ、ブルーレイディスク等の光ディスク又は電子記憶装置であり得る。
【０１３２】
本明細書で説明した技術は、様々な手段で実現することで、実施形態で説明した対応する装置の１つ又は複数の機能を実現する装置が、従来技術のモジュールのみならず、実施形態で説明した対応する装置の１つ又は複数の機能を実現するためのモジュールを含むようにすることができる。また、該装置は、単独の各機能のための単独装置を含むことができ、又は、２つ若しくはより多くの機能を実行する装置として構成することができる。例えば、これらの技術は、ハードウェア（１つ若しくは複数の装置）、ファームウェア（１つ若しくは複数の装置）、ソフトウェア（１つ若しくは複数のモジュール）、又はそれらの組合せにより実現可能である。ファームウェア又はソフトウェアについては、本明細書で説明した機能を実行するモジュール（例えば、プロセス、機能等）によって実現可能である。
【０１３３】
以上、方法及び装置のブロック図及びフローチャートの図示を参照して、本明細書の例示的実施形態を説明した。理解すべき点として、ブロック図及びフローチャートの各ブロック並びにブロック図及びフローチャートの各ブロックの組合せは、それぞれ、コンピュータプログラムの命令を含む各方法によって実現可能である。これらのコンピュータプログラムの命令は、汎用コンピュータ、専用コンピュータ又は他のプログラミング可能なデータ処理装置上にロードされて、マシンを生成することができ、コンピュータ又は他のプログラミング可能なデータ処理装置上で実行される命令が、フローチャートのブロックで指定された機能を実現するための装置を生成する。
【０１３４】
本明細書には複数の具体的な実現の詳細が含まれるが、これらは、実現内容又は保護を請求する可能性がある内容の範囲に対する何らかの限定であると解釈されるべきではなく、特定して実現される特定の実施形態において特定される可能性がある特徴に対する説明である解釈されるべきである。本明細書において、個々の実施形態の文脈において説明したいくつかの特徴は、ある一つの実現形態において組み合わせて実現されてもよい。逆に、一つの実施形態の文脈において説明された各種特徴は、複数の実施形態において単独で、又は任意の適切なサブ的な組み合せにより、実現されてもよい。また、以上の説明では、特徴について、いくつかの組合せによって作用するものとして説明し、まず、そういうものとして保護を請求することができるが、いくつかの状況においては、保護を請求する組合せのうち１つ又は複数の特徴を組合せから排除することができ、保護を請求する組合せは、サブ的な組合せ又はサブ的な組合せの変形を含むことができる。
【０１３５】
当業者にとって明らかであるように、技術の進歩に伴い、本発明の構想は、さまざまな方法により実現可能である。上述の実施形態は説明用であり、本開示を限定するものではない。また、理解すべき点として、当業者が理解しやすいものであれば、本開示の精神及び範囲を逸脱しない状況において、修正及び変更を行うことができる。このような修正及び変更は、本開示及び添付の請求項の範囲に含まれるとみなされる。本開示の保護範囲は、添付の特許請求の範囲により限定される。
【図１Ａ】
2022501904.tif 000003
【図１Ｂ】
2022501904.tif 000004
【図２】
2022501904.tif 000005
【図３Ａ】
2022501904.tif 000006
【図３Ｂ】
2022501904.tif 000007
【図４】
2022501904.tif 000008
【図５】
2022501904.tif 000009
【図６】
2022501904.tif 000010
【図７】
2022501904.tif 000011
【図８】
2022501904.tif 000012
【図９】
2022501904.tif 000013
【図１０】
2022501904.tif 000014
【図１１】
2022501904.tif 000015
【図１２】
2022501904.tif 000016
【図１３】
2022501904.tif 000017
【図１４】
2022501904.tif 000018
【図１５】
2022501904.tif 000019
【図１６】
2022501904.tif 000020
【図１７Ａ】
2022501904.tif 000021
【図１７Ｂ】
2022501904.tif 000022
【図１７Ｃ】
2022501904.tif 000023
【図１８Ａ】
2022501904.tif 000024
【図１８Ｂ】
2022501904.tif 000025
【図１９Ａ】
2022501904.tif 000026
【図１９Ｂ】
2022501904.tif 000027
【図２０Ａ】
2022501904.tif 000028
【図２０Ｂ】
2022501904.tif 000029
【図２１Ａ】
2022501904.tif 000030
【図２１Ｂ】
2022501904.tif 000031
【図２２Ａ】
2022501904.tif 000032
【図２２Ｂ】
2022501904.tif 000033
【図２３Ａ】
2022501904.tif 000034
【図２３Ｂ】
2022501904.tif 000035
【図２４Ａ】
2022501904.tif 000036
【図２４Ｂ】
2022501904.tif 000037
【図２５】
2022501904.tif 000038
【図２６】
2022501904.tif 000039
【図２７】
2022501904.tif 000040
【図２８】
2022501904.tif 000041
【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
ネットワークデバイスにおいて、
親ノードに接続されるとともに、子ノード及びユーザ機器（ＵＥ）のうちの少なくとも１つに接続される統合アクセスバックホール（ＩＡＢ）ノードに、
前記ＩＡＢノードと前記親ノードとの間の第１バックホールリンクについての少なくとも１つのスロット構成を示す第１情報と、
前記ＩＡＢノードと前記ＵＥとの間のアクセスリンク、及び前記ＩＡＢノードと前記子ノードとの間の第２バックホールリンクのうち少なくとも１つについての少なくとも１つのスロット構成を示す第２情報と
を送信することと、
前記ネットワークデバイスにおいて、前記第１情報及び前記第２情報に基づき、前記ＩＡＢノードと通信するとともに、前記子ノード及び前記ＵＥのうちの少なくとも１つと通信することと
を備える、方法。
【請求項２】
前記ネットワークデバイスは前記親ノードである、請求項１に記載の方法。
【請求項３】
前記子ノードは第２ＩＡＢノードである、請求項１又は２に記載の方法。
【請求項４】
前記少なくとも１つのスロット構成は、前記少なくとも１つのスロット構成と対応するスロット内の、少なくとも１つの下りリンクシンボルの前に位置する少なくとも１つの上りリンクシンボルを示す、請求項１〜３のいずれか１項に記載の方法。
【請求項５】
さらに、
前記ＩＡＢノードにガード期間を示し、前記ガード期間において、前記ＩＡＢノードは、前記第１バックホールリンクと、前記第２バックホールリンク及び前記アクセスリンクのうちの１つとの間で動作を切り替えることを備え、
前記ガード期間は、前記少なくとも１つのスロット構成と対応するスロット内にある、請求項１〜４のいずれか１項に記載の方法。
【請求項６】
前記ガード期間は、前記スロットの開始シンボル及び終了シンボルのうちの少なくとも１つを含む、請求項５に記載の方法。
【請求項７】
前記ガード期間において、前記ＩＡＢノードは、
前記第１バックホールリンクにおける受信から、前記アクセスリンク又は前記第２バックホールリンクにおける送信へ、
前記第１バックホールリンクにおける受信から、前記アクセスリンク又は前記第２バックホールリンクにおける受信へ、
前記第１バックホールリンクにおける送信から、前記アクセスリンク又は前記第２バックホールリンクにおける送信へ、
前記第１バックホールリンクにおける送信から、前記アクセスリンク又は前記第２バックホールリンクにおける受信へ、
前記アクセスリンク又は前記第２バックホールリンクにおける受信から、前記第１バックホールリンクにおける送信へ、
前記アクセスリンク又は前記第２バックホールリンクにおける受信から、前記第１バックホールリンクにおける受信へ、
前記アクセスリンク又は前記第２バックホールリンクにおける送信から、前記第１バックホールリンクにおける送信へ、及び
前記アクセスリンク又は前記第２バックホールリンクにおける送信から、前記第１バックホールリンクにおける受信へ
のうちの１つに基づき、前記第１バックホールリンクと、前記第２バックホールリンク及び前記アクセスリンクのうちの１つとの間で動作を切り替える、請求項５又は６に記載の方法。
【請求項８】
親ノードに接続されるとともに、子ノード及びユーザ機器（ＵＥ）のうちの少なくとも１つに接続された統合アクセスバックホール（ＩＡＢ）ノードにおいて、ネットワークデバイスから、
前記ＩＡＢノードと前記親ノードとの間の第１バックホールリンクについての少なくとも１つのスロット構成を示す第１情報と、
前記ＩＡＢノードと前記ＵＥとの間のアクセスリンク、及び前記ＩＡＢノードと前記子ノードとの間の第２バックホールリンクのうち少なくとも１つについての少なくとも１つのスロット構成を示す第２情報と
を受信することと、
前記ＩＡＢノードにおいて、前記第１情報及び前記第２情報に基づき、前記親ノードと通信するとともに、前記子ノード及び前記ＵＥのうちの少なくとも１つと通信することと
を備える、方法。
【請求項９】
前記ネットワークデバイスは前記親ノードである、請求項８に記載の方法。
【請求項１０】
前記子ノードは第２ＩＡＢノードである、請求項８又は９に記載の方法。
【請求項１１】
前記少なくとも１つのスロット構成は、前記少なくとも１つのスロット構成と対応するスロット内の、少なくとも１つの下りリンクシンボルの前に位置する少なくとも１つの上りリンクシンボルを示す、請求項８〜１０のいずれか１項に記載の方法。
【請求項１２】
さらに、
前記ネットワークデバイスによりガード期間が通知され、前記ガード期間において、前記ＩＡＢノードは、前記第１バックホールリンクと、前記第２バックホールリンク及び前記アクセスリンクのうちの１つとの間で動作を切り替えることを備え、
前記ガード期間は、前記少なくとも１つのスロット構成と対応するスロット内にある、請求項８〜１１のいずれか１項に記載の方法。
【請求項１３】
前記ガード期間は、前記スロットの開始シンボル及び終了シンボルのうちの少なくとも１つを含む、請求項１２に記載の方法。
【請求項１４】
前記ガード期間において、前記ＩＡＢノードは、
前記第１バックホールリンクにおける受信から、前記アクセスリンク又は前記第２バックホールリンクにおける送信へ、
前記第１バックホールリンクにおける受信から、前記アクセスリンク又は前記第２バックホールリンクにおける受信へ、
前記第１バックホールリンクにおける送信から、前記アクセスリンク又は前記第２バックホールリンクにおける送信へ、
前記第１バックホールリンクにおける送信から、前記アクセスリンク又は前記第２バックホールリンクにおける受信へ、
前記アクセスリンク又は前記第２バックホールリンクにおける受信から、前記第１バックホールリンクにおける送信へ、
前記アクセスリンク又は前記第２バックホールリンクにおける受信から、前記第１バックホールリンクにおける受信へ、
前記アクセスリンク又は前記第２バックホールリンクにおける送信から、前記第１バックホールリンクにおける送信へ、及び
前記アクセスリンク又は前記第２バックホールリンクにおける送信から、前記第１バックホールリンクにおける受信へ
のうちの１つに基づき、前記第１バックホールリンクと、前記第２バックホールリンク及び前記アクセスリンクのうちの１つとの間で動作を切り替える、請求項１２又は１３に記載の方法。
【国際調査報告】
2022501904.tif 000042
2022501904.tif 000043